(57)【要約】【課題】清掃を非常に容易に行うこと等が可能なヘアキャッチャーなどを提供する。【解決手段】ヘアキャッチャー６４は、棒状の支持軸６１を挿通可能な筒状の中筒部６４１と、中筒部６４１の外周から外側に向けて広がるとともに、通水用の孔部６４２ｅが複数貫通形成され、かつ、排水が孔部６４２ｅを通過して自身の表側から裏側へと抜けることが可能に構成された捕集部６４２とを備える。捕集部６４２の裏側であって中筒部６４１よりも外側には、使用者が持つための持ち手部６４３が設けられる。これにより、さほど大きな力を持ち手部６４３に加えずとも、ヘアキャッチャー６４を回転させることなく固定した状態とすることができる。また、清掃の対象となる捕集部６４２を持つ必要がなくなるため、清掃を行いやすくなる。さらに、捕集部６４２の裏側に持ち手部６４３が設けられるため、持ち手部６４３が清掃の邪魔になることを防止できる。【選択図】      図２
2020200669.tif 000002
【特許請求の範囲】
【請求項１】
槽体から流れる排水の流路に配置され、排水に含まれる異物を捕集するためのヘアキャッチャーであって、
棒状の支持軸を挿通可能な筒状の中筒部と、
前記中筒部の外周から外側に向けて広がるとともに、通水用の孔部が複数貫通形成され、かつ、排水が前記孔部を通過して自身の表側から裏側へと抜けることが可能に構成された捕集部とを備えるとともに、
前記捕集部の裏側であって前記中筒部よりも外側に、使用者が持つための持ち手部を有することを特徴とするヘアキャッチャー。
【請求項２】
前記持ち手部は、前記中筒部の最下部よりも下方に延びた形状とされていることを特徴とする請求項１に記載のヘアキャッチャー。
【請求項３】
前記持ち手部は、前記中筒部の外周面及び前記捕集部の裏面の双方に連接した状態とされていることを特徴とする請求項１又は２に記載のヘアキャッチャー。
【請求項４】
棒状の支持軸と、
前記支持軸の上端部により支持される栓蓋と、
前記栓蓋よりも下方において前記支持軸の外周に配設される下方配設部とを備えた栓蓋ユニットであって、
請求項１乃至３のいずれか１項に記載のヘアキャッチャーを有し、
当該ヘアキャッチャーは、前記中筒部へと前記支持軸における前記栓蓋及び前記下方配設部間に位置する部位が挿通された状態とされ、前記支持軸に対し相対回転可能であるとともに、前記支持軸に対しその軸方向に沿って相対移動可能な状態で前記支持軸の外周に配設されており、
前記下方配設部は、前記支持軸の周方向に沿って間隔をあけて設けられた複数の持ち手対応部を有するとともに、前記支持軸に対する相対回転が規制された状態とされており、
前記持ち手部は、複数の前記持ち手対応部間に配置可能に構成されていることを特徴とする栓蓋ユニット。
【発明の詳細な説明】
【技術分野】
【０００１】
本発明は、洗面ボウルや浴槽等の排水流路に設けられ、毛髪やごみ等の異物を捕集するためのヘアキャッチャー、並びに、栓蓋及びヘアキャッチャーを有してなる栓蓋ユニットに関する。
【背景技術】
【０００２】
従来、槽体（例えば、洗面ボウルや浴槽、流し台等）から流れる排水の流路にヘアキャッチャーを設け、排水に含まれるごみや毛髪等の異物を捕集する手法が知られている。ヘアキャッチャーとしては、例えば、棒状の支持軸が挿通される中筒部と、当該中筒部の外周から外側に広がり、異物を捕集するための捕集部とを備えたものがある（例えば、特許文献１等参照）。
【０００３】
また、ヘアキャッチャー及び支持軸と、当該支持軸の上端部に取付けられる栓蓋とを一まとめにしてなる栓蓋ユニットについても知られている。栓蓋ユニットを用いた場合には、栓蓋を引上げることによって栓蓋ととともにヘアキャッチャーを引上げることができ、ひいては排水の流路からのヘアキャッチャーの引抜きを容易に行うことが可能となる。
【先行技術文献】
【特許文献】
【０００４】
【特許文献１】特開２０１７−１６６１３１号公報
【発明の概要】
【発明が解決しようとする課題】
【０００５】
ところで、上記のようなヘアキャッチャーは、通常支持軸に対し相対回転可能に構成されている。従って、捕集部から異物や汚れなどを取り除くことでヘアキャッチャーを清掃する際に、ヘアキャッチャーが回転してしまい、異物などの除去を思ったように行えないといったことが生じ得る。
【０００６】
これに対し、例えばヘアキャッチャーを支持軸から取外して（引抜いて）単独の状態とした上で、ヘアキャッチャーの清掃を行うことが考えられる。この場合には、ヘアキャッチャーを手で持って固定した状態で清掃を行うことが可能となる。しかし、支持軸からヘアキャッチャーを取外すためには、支持軸から栓蓋を取外さなければならないため、清掃前に面倒で手間のかかる作業が必要となってしまう。
【０００７】
そこで、ヘアキャッチャーを支持軸から取外すことなく、中筒部を把持したり、捕集部を持ったりすることによりヘアキャッチャーを固定した状態で清掃を行うことが考えられる。しかし、中筒部を把持してヘアキャッチャーを固定するためには比較的大きな力で中筒部を把持する必要があり、ヘアキャッチャーの回転を十分に抑えることができないおそれがある。また、捕集部を持つことでヘアキャッチャーを固定する場合には、清掃の対象となる捕集部を持つことになるため、清掃が行いにくくなってしまう。さらに、捕集部には通常異物が多く付着しているため、使用者にとっては、衛生性の面で可能な限り捕集部を持つことは避けたいところである。尚、捕集部を持つことは避けたいという点は、ヘアキャッチャー単独で清掃を行う場合も同様である。
【０００８】
本発明は、上記事情に鑑みてなされたものであり、その目的は、清掃を非常に容易に行うこと等が可能なヘアキャッチャー及び栓蓋ユニットを提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．槽体から流れる排水の流路に配置され、排水に含まれる異物を捕集するためのヘアキャッチャーであって、
棒状の支持軸を挿通可能な筒状の中筒部と、
前記中筒部の外周から外側に向けて広がるとともに、通水用の孔部が複数貫通形成され、かつ、排水が前記孔部を通過して自身の表側から裏側へと抜けることが可能に構成された捕集部とを備えるとともに、
前記捕集部の裏側であって前記中筒部よりも外側に、使用者が持つための持ち手部を有することを特徴とするヘアキャッチャー。
【００１１】
上記手段１によれば、捕集部の裏側であって中筒部よりも外側に、使用者が持つための持ち手部が設けられている。持ち手部は中筒部よりも外側に位置するため、さほど大きな力を持ち手部に加えずとも、ヘアキャッチャーの回転を抑えて、ヘアキャッチャーを固定した状態とすることができる。そのため、ヘアキャッチャー単独の状態とせずとも、すなわち、清掃前にヘアキャッチャーを支持軸から取外す（引抜く）といった面倒で手間のかかる作業を行わずとも、ヘアキャッチャーを固定した状態とすることがより容易に可能となる。また、ヘアキャッチャーの清掃時に清掃の対象となる捕集部を持つ必要がなくなるため、清掃を行いやすくなる。さらに、通常、ヘアキャッチャーの清掃は、捕集部の表面を擦ったり拭き取ったりすることで行われるところ、捕集部の裏側に持ち手部が設けられるため、持ち手部が清掃の邪魔になることをより確実に防止できる。
【００１２】
以上の作用効果が相乗的に相俟って、上記手段１によれば、ヘアキャッチャーの清掃を非常に容易に行うことが可能となる。
【００１３】
また、上記手段１によれば、清掃時に捕集部を持つ必要がなくなるため、衛生性の面でも好都合となる。
【００１４】
手段２．前記持ち手部は、前記中筒部の最下部よりも下方に延びた形状とされていることを特徴とする手段１に記載のヘアキャッチャー。
【００１５】
上記手段２によれば、持ち手部は、中筒部の最下部よりも下方に延びた形状とされているため、持ち手部をより持ちやすくすることができる。従って、清掃時に、ヘアキャッチャーの回転を抑えてヘアキャッチャーを固定した状態とすることが一層容易に可能となるとともに、ヘアキャッチャーをより安定的に保持する（安定した状態で持つ）ことができる。その結果、清掃に係る容易性を一層向上させることができる。
【００１６】
手段３．前記持ち手部は、前記中筒部の外周面及び前記捕集部の裏面の双方に連接した状態とされていることを特徴とする手段１又は２に記載のヘアキャッチャー。
【００１７】
上記手段３によれば、持ち手部は、中筒部の外周面及び捕集部の裏面の双方に連接した状態とされている。従って、負荷（力）に対する持ち手部の強度を高めることができ、ヘアキャッチャーの耐久性向上を図ることができる。
【００１８】
また、持ち手部を持ったときに、ヘアキャッチャーを一層安定した状態で保持することができる。そのため、清掃に係る容易性をより一層高めることができる。
【００１９】
手段４．棒状の支持軸と、
前記支持軸の上端部により支持される栓蓋と、
前記栓蓋よりも下方において前記支持軸の外周に配設される下方配設部とを備えた栓蓋ユニットであって、
手段１乃至３のいずれかに記載のヘアキャッチャーを有し、
当該ヘアキャッチャーは、前記中筒部へと前記支持軸における前記栓蓋及び前記下方配設部間に位置する部位が挿通された状態とされ、前記支持軸に対し相対回転可能であるとともに、前記支持軸に対しその軸方向に沿って相対移動可能な状態で前記支持軸の外周に配設されており、
前記下方配設部は、前記支持軸の周方向に沿って間隔をあけて設けられた複数の持ち手対応部を有するとともに、前記支持軸に対する相対回転が規制された状態とされており、
前記持ち手部は、複数の前記持ち手対応部間に配置可能に構成されていることを特徴とする栓蓋ユニット。
【００２０】
尚、下方配設部は、例えば、ごみ等を捕集する機能を備えた第二ヘアキャッチャーなどにより構成することができる。勿論、下方配設部は、ごみ等の捕集機能を備えないものであってもよい。
【００２１】
上記手段４によれば、下方配設部は、支持軸に対する相対回転が規制された状態とされており、持ち手部は、下方配設部における複数の持ち手対応部間に配置可能とされている。従って、持ち手部を持ち手対応部間に配置することで、支持軸に対するヘアキャッチャーの相対回転を規制することができる。これにより、捕集部の表面を擦ったり拭き取ったりすることや、栓蓋ユニットを振ることによって捕集部に付着した異物等を振り落とすことなどを容易に行うことが可能となる。また、栓蓋を持った状態でヘアキャッチャーを清掃する（捕集部の表面を擦ったり拭き取ったりする）際には、捕集部を下方配設部側へと押す形になるため、ヘアキャッチャー及び栓蓋間の空間（隙間）が狭まるのを防止しつつ（すなわち、ヘアキャッチャー及び栓蓋間の空間をより確実に確保しつつ）、ヘアキャッチャーの清掃を行うことができる。これらの結果、ヘアキャッチャーの清掃を一層容易に行うことができる。
【００２２】
また、持ち手部を持つことなく、ヘアキャッチャーの回転を抑えてヘアキャッチャーを固定した状態とすることができるため、衛生性の面で使用者にとってより好都合となる。
【００２３】
尚、持ち手部は、常に持ち手対応部間に配置されている必要はない。従って、例えばヘアキャッチャーが所定の被載置部（例えば、排水口に挿設される排水口部材や、排水の流路を構成する配管、槽体の底壁部など）に載置されることで、常にはヘアキャッチャー及び下方配設部が離間し、持ち手対応部間に持ち手部が配置されないように構成してもよい。この場合、栓蓋ユニットを排水の流路から引抜いたとき等、ヘアキャッチャーが下方配設部に対し接近可能となったときに、持ち手対応部間に持ち手部を配置することが可能となればよい。
【００２４】
さらに、支持軸に対するヘアキャッチャーの回転規制という点では、下方配設部を支持軸に対し相対回転不能に構成することが好ましいが、必ずしも下方配設部をこのように構成しなければならないわけではない。例えば、下方配設部を、支持軸に対し一定量（一定角度）だけ相対回転可能とし、この一定量だけ回転するとそれ以上の回転が規制されるように構成してもよい。また、下方配設部は、例えば支持軸との間に設けられたＯリング等の摩擦力増大用の部材によって、支持軸の周方向に沿った力が加わったときに基本的には支持軸に対する相対回転が規制されるが、前記力が過度に大きい場合に支持軸に対し相対回転し得るようなものであってもよい。
【００２５】
尚、栓蓋を持った状態におけるヘアキャッチャーに係る清掃性の更なる向上を図るという点では、支持軸に対する栓蓋の相対回転が制限される構成を採用することが好ましい。ここで、「相対回転が制限される」とあるのは、相対回転不能である必要はなく、容易に相対回転しない程度の状態であればよい。このような構成は、例えば、支持軸及び栓蓋によって挟み込まれる所定部品（例えばゴムや樹脂等からなるＯリング等）を配置したり、栓蓋に支持軸を嵌合して両者で生じる摩擦力をある程度大きなものとしたりすること等によって実現することができる。
【図面の簡単な説明】
【００２６】
【図１】排水栓装置の断面図である。
【図２】持ち手対応部間に持ち手部を配置した状態における栓蓋ユニットの斜視図である。
【図３】ヘアキャッチャーの斜視図である。
【発明を実施するための形態】
【００２７】
以下に、一実施形態について図面を参照しつつ説明する。図１に示すように、排水栓装置１は、槽体としての洗面ボウル１００に取付けられており、排水口部材２と、配管３と、アタッチメント部材４と、作動軸機構５と、栓蓋ユニット６とを備えている。
【００２８】
尚、洗面ボウル１００は、その底面を構成する底壁部１０１と当該底壁部１０１の周縁に立設された側壁部（不図示）とを備えている。底壁部１０１は、下方に向けて内径が徐々に減少するようにして垂下する円筒状の垂下部１０２と、当該垂下部１０２の下端から内側に突出する内鍔状の張出部１０３とを有している。また、底壁部１０１（張出部１０３）には排水口１０４が貫通形成されている。一方、前記側壁部には、水の溢れ出しを防止するためのオーバーフロー口（図示せず）が設けられている。
【００２９】
排水口部材２は、円筒状に形成されており、自身の中心軸と排水口１０４の中心軸とがほぼ一致するようにして排水口１０４に挿設されている。また、排水口部材２は、その上端部において径方向外側に突出形成された鍔部２１と、当該鍔部２１よりも下側の外周に形成された雄ねじ部２２とを備えている。
【００３０】
配管３は、排水の流路を構成する部位であり、配管本体部３１及び枝分かれ管３２を備えている。本実施形態において、洗面ボウル１００内の水は、垂下部１０２、排水口部材２及び配管本体部３１によって形成された排水の流路を通って排出可能とされている。
【００３１】
配管本体部３１は、鉛直方向に延びる円筒状をなしており、その上端部内周に雌ねじ部３１ａを備えている。そして、排水口１０４に排水口部材２を挿通しつつ雄ねじ部２２を雌ねじ部３１ａに螺合し、鍔部２１及び配管３の上端面により底壁部１０１を挟み込むことで、排水口部材２及び配管３が接続されるとともに、両者が洗面ボウル１００に取付けられた状態となっている。尚、本実施形態において、配管本体部３１の上端部は鍔状をなしており、当該鍔状部分と底壁部１０１の裏面との間には、弾性変形可能な材料（例えば、樹脂やゴム等）により形成された環状のシール部材７が配置されている。当該シール部材７によって、排水口部材２及び配管３と洗面ボウル１００との間からの漏水防止が図られている。
【００３２】
また、配管本体部３１の内周であって枝分かれ管３２よりも下方位置には、環状の段差部３１ｂが設けられている。当該段差部３１ｂは、アタッチメント部材４の被設置部として機能する。さらに、配管本体部３１における前記段差部３２ｂよりも下方には、チューブ挿通孔３２ｃが貫通形成されている。
【００３３】
枝分かれ管３２は、配管本体部３１の外周から当該配管本体部３１の延びる方向と交差する方向に沿って延びる円筒状部位である。枝分かれ管３２は、その内部空間が配管本体部３１の内部空間に連通するとともに、前記オーバーフロー口に対し図示しない連結管を介して接続されている。これにより、前記オーバーフロー口を通過した排水は、前記連結管及び枝分かれ管３２を通って配管本体部３１へと流れ込むようになっている。
【００３４】
アタッチメント部材４は、排水の流路において作動軸機構５を保持するためのものであり、本実施形態では、配管本体部３１の内周に設置されている。尚、アタッチメント部材４を排水口部材２の内周に設置してもよい。アタッチメント部材４は、外環部４１、連結部４２及び保持部４３を備えている。
【００３５】
外環部４１は、配管本体部３１に対するアタッチメント部材４の取付部として機能する。本実施形態では、外環部４１を前記段差部３１ｂに載置した状態とすること等により、アタッチメント部材４が配管本体部３１に取付けられた状態となっている。
【００３６】
連結部４２は、外環部４１の内周面と保持部４３の外周面とを連結する部位である。連結部４２は、保持部４３の外周から保持部４３の径方向外側に向けて延びるとともに、保持部４３の周方向に沿って間隔をあけた状態で複数（本実施形態では、等間隔に３つ）設けられている。尚、配管本体部３１に流れ込んだ排水は、各連結部４２間の隙間を通って下流へと流れるようになっている。
【００３７】
保持部４３は、自身の内周において作動軸機構５を保持するためのものである。保持部４３は、全体として円筒状をなしており、外環部４１よりも内側において外環部４１と同軸状に設けられている。
【００３８】
作動軸機構５は、栓蓋ユニット６を上下動させるための機構であり、外筒部５１、作動軸５２、第一ストッパ部５３及び第二ストッパ部５４を備えている。
【００３９】
外筒部５１は、円筒状をなしており、上下動不能な状態で前記保持部４３により保持されている。作動軸５２は、円柱状をなしており、上下動可能な状態で外筒部５１の内周に配置されている。また、作動軸５２の上端部は栓蓋ユニット６と接触可能とされており、作動軸５２の上下動に伴い栓蓋ユニット６が上下動するようになっている。
【００４０】
第一ストッパ部５３及び第二ストッパ部５４は、それぞれ円筒状をなしており、外筒部５１の下端側開口を塞ぐようにして、外筒部５１の軸方向に沿って並んだ状態で設けられている。第一ストッパ部５３及び第二ストッパ部５４は、外筒部５１からの作動軸５２の抜けを防止するとともに、筒状のチューブ部材８の接続部として機能する。本実施形態では、チューブ部材８の端部に設けられた鍔状部分が第一ストッパ部５３及び第二ストッパ部５４により挟み込まれた状態とされることで、作動軸機構５に対しチューブ部材８が接続されている。
【００４１】
尚、チューブ部材８内には、所定の伝達部材９（例えば、ワイヤ等）が配置されており、当該伝達部材９は、チューブ部材８内にて往復移動可能とされている。また、伝達部材９は、図示しない所定の操作部（例えば、往復移動可能な操作ボタンや回動可能な操作ハンドルなど）を変位させることで、往復移動するようになっている。さらに、伝達部材９の一端部は、作動軸５２と接続されており、伝達部材９の往復移動に伴い作動軸５２が上下動するようになっている。
【００４２】
尚、チューブ部材８及び伝達部材９は前記チューブ挿通孔３２ｃに挿通されることで、配管本体部３１の外から中へと入った状態とされている。ここで、配管本体部３１のうちチューブ挿通孔３２ｃを形成する面とチューブ部材８の外周面との間には、弾性変形可能な材料により形成された筒状のブッシュ部材１０が介在設置されており、その結果、チューブ挿通孔３２ｃを通った排水の漏出が防止されている。
【００４３】
栓蓋ユニット６は、排水口１０４の開閉や排水に含まれるごみ等の異物捕集などを行うためのものである。栓蓋ユニット６は、支持軸６１、栓蓋６２、下方配設部６３及びヘアキャッチャー６４を備えている。尚、栓蓋ユニット６は、ヘアキャッチャー６４の清掃などを行う場合に、洗面ボウル１００の表側（貯水空間側）から上方に向けて引上げられることで、排水口部材２や配管本体部３１（排水の流路）から引抜可能とされている。
【００４４】
支持軸６１は、全体として棒状をなしており、排水口部材２や配管本体部３１の内部つまり排水の流路においてそのほぼ中心に配置されている。支持軸６１は、その下端側部位が円筒状をなしており、当該円筒状部位の内部に前記作動軸５２の先端部が配置された状態となっている。一方、支持軸６１は、その上端部が栓蓋６２の背面中央部に設けられた後述する被取付筒部６２ｃに挿通されることで、その上端部によって栓蓋６２を支持した状態となっている。
【００４５】
また、本実施形態では、支持軸６１の上端部外周にゴム等からなる環状のＯリング６６が設けられており、被取付筒部６２ｃの内周に設けられた環状の溝部に対し、当該Ｏリング６６が配置されている。そして、支持軸６１及び被取付筒部６２ｃに対しＯリング６６が圧接した状態となっている。これにより、支持軸６１に対する栓蓋６２の相対回転が制限された状態となっている。また、基本的には被取付筒部６２ｃからの支持軸６１の抜けを規制することが可能となる一方、被取付筒部６２ｃから支持軸６１を引抜く方向に支持軸６１や栓蓋６２へと比較的大きな力を加えることで、支持軸６１から栓蓋６２を分離させることが可能となっている。尚、Ｏリング６６に代えて、Ｃリングなどを用いてもよい。
【００４６】
栓蓋６２は、排水口１０４を開閉するための栓である。栓蓋６２は、樹脂等からなる円板状の栓蓋本体部６２ａと、当該栓蓋本体部６２ａの背面外周側に取付けられた、弾性変形可能な材料からなる環状のパッキン部６２ｂとを有している。また、栓蓋本体部６２ａの背面中心部には、支持軸６１を取付けるための円筒状の被取付筒部６２ｃが設けられている。
【００４７】
本実施形態では、前記操作部に対する操作に伴い作動軸５２が上動することで、支持軸６１及び栓蓋６２が上動し、その結果、パッキン部６２ｂが底壁部１０１から離間した状態となることにより、排水口１０４が開状態とされる。一方、この状態で、前記操作部に対する操作に伴い作動軸５２が下動することで、支持軸６１及び栓蓋６２が下動し、その結果、パッキン部６２ｂの外周部分全域が底壁部１０１と接触することにより、排水口１０４が閉状態とされる。
【００４８】
下方配設部６３は、図２に示すように、栓蓋６２よりも下方において支持軸６１の外周に配設される部位であり、外側リング部６３ａ及び持ち手対応部６３ｂを備えている。外側リング部６３ａは、円環状をなしており、外周面が配管本体部３１の内周面に沿って配置されるようになっている（図１参照）。本実施形態では、下方配設部６３及びヘアキャッチャー６４によって、支持軸６１における傾きや水平方向に沿った位置ずれの発生抑制が図られている。
【００４９】
一方、持ち手対応部６３ｂは、外側リング部６３ａの内周面及び支持軸６１の外周面を連結する棒状部位であり、支持軸６１の周方向に沿って間隔をあけて複数（本実施形態では、等間隔に８本）設けられている。また、本実施形態における下方配設部６３は、排水に含まれるごみ等の異物を捕集可能となっており、いわば第二ヘアキャッチャーとしての機能をも有している。尚、下方配設部６３は、異物の捕集機能を具備しないものであってもよい。
【００５０】
また、下方配設部６３は、支持軸６１に対し相対回転が規制された状態となっており、本実施形態では、支持軸６１と一体であって、支持軸６１に対し相対回転不能となっている。さらに、下方配設部６３においては、支持軸６１、外側リング部６３ａ及び隣接する２本の持ち手対応部６３ｂにより形成される平面視台形状の隙間の大きさが、後述する持ち手部６４３の少なくとも先端部（下端部）を挿通可能な大きさに設定されている。
【００５１】
ヘアキャッチャー６４は、排水に含まれるごみや毛髪等の異物を捕集するためのものである。本実施形態において、ヘアキャッチャー６４は、垂下部１０２の内周に配置されており、排水口部材２の前記鍔部２１に載置された状態で設置されている。
【００５２】
ヘアキャッチャー６４は、図３に示すように、中筒部６４１、捕集部６４２及び持ち手部６４３を備えている。
【００５３】
中筒部６４１は、支持軸６１における栓蓋６２及び下方配設部６３間に位置する部位が挿通される円筒状部位である。中筒部６４１は、支持軸６１に対し相対回転可能な状態となっており、その結果、ヘアキャッチャー６４は、支持軸６１に対し相対回転可能な状態となっている。
【００５４】
また、中筒部６４１は、その内周に、当該中筒部６４１の中心軸と平行に延びる突条部６４１ａを当該中筒部６４１の周方向に沿って等間隔に複数備えている。これら突条部６４１ａによって、中筒部６４１及び支持軸６１の密着を防止することができ、ヘアキャッチャー６４は、支持軸６１の外周において、支持軸６１に対しその軸方向に沿って円滑に相対移動可能となっている。これにより、排水口１０４の開閉状態を切換える際において支持軸６１が上下動したときに、ヘアキャッチャー６４は上下動することなく一定の位置に配置されるようになっている。
【００５５】
捕集部６４２は、中筒部６４１の外周から外側に向けて広がる鍔状をなしている。本実施形態において、捕集部６４２は、外周側斜面部６４２ａ、内周側斜面部６４２ｂ及び中心側集積部６４２ｃを外側から内側に向けてこの順序で備えている。さらに、中筒部６４１の外周から中心側集積部６４２ｃを経て内周側斜面部６４２ｂに連結されるようにして、中筒部６４１の径方向に沿って延びる突起部６４２ｄが設けられている。
【００５６】
外周側斜面部６４２ａは、外側から内側に向けて徐々に下方へと比較的緩やかに傾斜する部位であり、排水に含まれる異物を内周側斜面部６４２ｂや中心側集積部６４２ｃの方へと案内する。尚、本実施形態では、中筒部６４１の軸方向に沿った捕集部６４２の高さを抑える等のために、外周側斜面部６４２ａの傾斜が緩やかなものとされているが、勿論、外周側斜面部６４２ａの傾斜の程度については適宜変更してもよい。
【００５７】
内周側斜面部６４２ｂは、外側から内側に向けて下方へと比較的急激に傾斜する部位である。内周側斜面部６４２ｂは、異物を中心側集積部６４２ｃの方へと案内したり、自身や中心側集積部６４２ｃに捕集された異物が捕集部６４２の外縁側へと移動することを規制したりするといった役割を有している。
【００５８】
中心側集積部６４２ｃは、平坦面状や下に凸の湾曲面状等をなしており、異物の主たる集積部位として機能する。
【００５９】
また、外周側斜面部６４２ａ、内周側斜面部６４２ｂ及び中心側集積部６４２ｃのそれぞれには、中筒部６４１の周方向に沿って円弧状に配列された複数の通水用の孔部６４２ｅが貫通形成されている。これにより、洗面ボウル１００からの排水は、孔部６４２ｅを通って捕集部６４２の表側から裏側に抜けて下流へと流れるようになっている。
【００６０】
尚、本実施形態において、孔部６４２ｅにおける通水面積は、突起部６４２ｄに近い側ほど小さく、突起部６４２ｄから遠い側ほど大きくなるように設定されており、また、突起部６４２ｄは孔部６４２ｅを備えない滑面状（段差や凹凸のない滑らかな面状）とされている。さらに、外周側斜面部６４２ａにおける突起部６４２ｄの外周に位置する部位も孔部６４２ｅを備えない滑面状とされている。孔部６４２ｅの通水面積が上記のように設定されることで、捕集部６４２の表面を擦ったり拭いたりすること等により、捕集部６４２により捕集された異物を突起部６４２ｄ側へと移動させて集めることが容易になる。また、突起部６４２ｄを設けつつ、当該突起部６４２ｄを孔部６４２ｅのない滑面状とすることで、突起部６４２ｄ側に集められた異物を外周側斜面部６４２ａの方へと持ち上げるようにして移動させやすくなる。さらに、外周側斜面部６４２ａにおける突起部６４２ｄの外周に位置する部位が孔部６４２ｅのない滑面状とされることで、突起部６４２ｄ側から当該部位へと移動させられた異物を、孔部６４２ｅの形成部位に引っ掛からせることなく容易にヘアキャッチャー６４外へと移動させることが可能となる。つまり、上記のように捕集部６４２を構成することにより、捕集した異物を集めて廃棄することを非常に容易に行うことが可能となっている。
【００６１】
持ち手部６４３は、捕集部６４２の裏側であって中筒部６４１よりも外側に設けられた、下側に向けて突出する部位であり、使用者がヘアキャッチャー６４を持つときの持ち手として機能する。持ち手部６４３は、中筒部６４１の外周から突出するとともに、捕集部６４２の裏面から下方に向けて突出する形状をなしている。すなわち、持ち手部６４３は、中筒部６４１の外周面及び捕集部６４２の裏面の双方に連接した状態とされている。
【００６２】
さらに、持ち手部６４３は、中筒部６４１の最下部よりも下方に延びた形状とされている。加えて、本実施形態における持ち手部６４３は、下方に向けて徐々に細くなる形状とされている。
【００６３】
また、栓蓋ユニット６を排水口部材２や配管本体部３１から引抜いた状態において、ヘアキャッチャー６４は下方配設部６３側へと接近移動可能な状態となるところ、ヘアキャッチャー６４を下方配設部６３側へと移動させて、持ち手部６４３を、支持軸６１、外側リング部６３ａ及び持ち手対応部６３ｂにより形成された前記隙間に挿通することで、複数の持ち手対応部６３ｂ間に持ち手部６４３を配置することが可能となっている。
【００６４】
尚、本実施形態では、持ち手部６４３は下方に向けて徐々に細くなるため、持ち手対応部６３ｂ間に持ち手部６４３を配置することが容易に可能になるとともに、持ち手部６４３を持ち手対応部６３ｂ間に配置したときに、中筒部６４１の周方向に沿って持ち手部６４３及び持ち手対応部６３ｂをより確実に接触させることができる。そのため、下方配設部６３によるヘアキャッチャー６４の固定を容易に行うことが可能となり、また、ヘアキャッチャー６４を固定した状態において、下方配設部６３に対するヘアキャッチャー６４のがたつきをより生じにくくすることが可能となっている。
【００６５】
以上詳述したように、本実施形態によれば、捕集部６４２の裏側であって中筒部６４１よりも外側に、使用者が持つための持ち手部６４３が設けられている。持ち手部６４３は中筒部６４１よりも外側に位置するため、さほど大きな力を持ち手部６４３に加えずとも、支持軸６１に対するヘアキャッチャー６４の回転を抑えて、ヘアキャッチャー６４を固定した状態とすることができる。そのため、ヘアキャッチャー６４単独の状態とせずとも、すなわち、清掃前にヘアキャッチャー６４を支持軸６１から取外す（引抜く）といった面倒で手間のかかる作業を行わずとも、ヘアキャッチャー６４を固定した状態とすることがより容易に可能となる。また、ヘアキャッチャー６４の清掃時に清掃の対象となる捕集部６４２を持つ必要がなくなるため、清掃を行いやすくなる。さらに、通常、ヘアキャッチャー６４の清掃は、捕集部６４２の表面を擦ったり拭き取ったりすることで行われるところ、捕集部６４２の裏側に持ち手部６４３が設けられるため、持ち手部６４３が清掃の邪魔になることをより確実に防止できる。これらの作用効果が相乗的に相俟って、ヘアキャッチャー６４の清掃を非常に容易に行うことが可能となる。
【００６６】
また、清掃時に捕集部６４２を持つ必要がなくなるため、衛生性の面でも好都合となる。
【００６７】
さらに、持ち手部６４３は、中筒部６４１の最下部よりも下方に延びた形状とされているため、持ち手部６４３をより持ちやすくすることができる。従って、清掃時に、ヘアキャッチャー６４の回転を抑えてヘアキャッチャー６４を固定した状態とすることが一層容易に可能となるとともに、ヘアキャッチャー６４をより安定的に保持する（安定した状態で持つ）ことができる。その結果、清掃に係る容易性を一層向上させることができる。
【００６８】
加えて、持ち手部６４３は、中筒部６４１の外周面及び捕集部６４２の裏面の双方に連接した状態とされている。従って、負荷（力）に対する持ち手部６４３の強度を高めることができ、ヘアキャッチャー６４の耐久性向上を図ることができる。また、持ち手部６４３を持ったときに、ヘアキャッチャー６４を一層安定した状態で保持することができる。そのため、清掃に係る容易性をより一層高めることができる。
【００６９】
また、栓蓋ユニット６においては、持ち手部６４３を持ち手対応部６３ｂ間に配置することで、支持軸６１に対するヘアキャッチャー６４の相対回転を規制することができる。これにより、捕集部６４２の表面を擦ったり拭き取ったりすることや、栓蓋ユニット６を振ることによって捕集部６４２に付着した異物等を振り落とすことなどを容易に行うことが可能となる。また、栓蓋６２を持った状態でヘアキャッチャー６４を清掃する（捕集部６４２の表面を擦ったり拭き取ったりする）際には、捕集部６４２を下方配設部６３側へと押す形になるため、ヘアキャッチャー６４及び栓蓋６２間の空間（隙間）が狭まるのを防止しつつ（すなわち、ヘアキャッチャー６４及び栓蓋６２間の空間をより確実に確保しつつ）、ヘアキャッチャー６４の清掃を行うことができる。これらの結果、ヘアキャッチャー６４の清掃を一層容易に行うことができる。
【００７０】
特に本実施形態では、支持軸６１に対する栓蓋６２の相対回転が制限された状態となっているため、栓蓋６２を持った状態におけるヘアキャッチャー６４の清掃をより一層容易に行うことが可能となる。
【００７１】
さらに、持ち手部６４３及び持ち手対応部６３ｂを利用することで、持ち手部６４３を持つことなく、ヘアキャッチャー６４の回転を抑えてヘアキャッチャー６４を固定した状態とすることができる。そのため、衛生性の面で使用者にとってより好都合となる。
【００７２】
尚、上記実施形態の記載内容に限定されず、例えば次のように実施してもよい。勿論、以下において例示しない他の応用例、変更例も当然可能である。
【００７３】
（ａ）上記実施形態における捕集部６４２の構成は一例であって、捕集部６４２の構成を適宜変更してもよい。例えば、中筒部６４１の外周からその径方向に沿って延びる複数の棒状部と、各棒状部の先端部（最外側部）が連結される環状部とを備えるように捕集部６４２を構成してもよい。この場合、持ち手部は、棒状部や環状部から垂下するようにして設けられることとなる。
【００７４】
（ｂ）上記実施形態において、ヘアキャッチャー６４は、排水口部材２（鍔部２１）に載置されることで、垂下部１０２の内周に配置されているが、ヘアキャッチャー６４については、洗面ボウル１００から流れる排水の流路に配置すればよく、必ずしも垂下部１０２の内周に配置する必要はない。従って、ヘアキャッチャー６４が、排水口部材２や配管本体部３１の内周に設けられた段差や突起などに載置されるように構成することで、ヘアキャッチャー６４を排水口部材２や配管本体部３１の内周に設置することとしてもよい。
【００７５】
（ｃ）上記実施形態では、栓蓋ユニット６を排水口部材２等から引抜き、排水口部材２によるヘアキャッチャー６４の支持が解除された状態となることで、ヘアキャッチャー６４が下方配設部６３に接近可能となり、その結果、持ち手部６４３を持ち手対応部６３ｂ間に配置することができるように構成されている。これに対し、例えば、持ち手部６４３が、常に持ち手対応部６３ｂ間に配置されるように構成してもよい。すなわち、栓蓋ユニット６を通常の使用時位置に配置している状態（排水口部材２や配管本体部３１に挿設している状態）において、持ち手部６４３が持ち手対応部６３ｂ間に配置されるように構成してもよい。
【００７６】
（ｄ）上記実施形態において、下方配設部６３は、支持軸６１に対し相対回転不能に構成されているが、必ずしも下方配設部６３をこのように構成しなければならないわけではない。例えば、下方配設部６３を、支持軸６１に対し一定量（一定角度）だけ相対回転可能とし、この一定量だけ回転するとそれ以上の回転が規制されるように構成してもよい。また、下方配設部６３は、例えば支持軸６１との間に設けられたＯリング等の摩擦力増大用の部材によって、支持軸６１の周方向に沿った力が加わったときに基本的には支持軸６１に対する相対回転が規制されるが、前記力が過度に大きい場合に支持軸６１に対し相対回転し得るようなものであってもよい。
【００７７】
（ｅ）上記実施形態において、持ち手部６４３は、支持軸６１に対するヘアキャッチャー６４の回転規制等に用いられているが、持ち手部６４３を、排水口部材２や配管本体部３１に対するヘアキャッチャー６４の回転規制に利用することとしてもよい。例えば、排水口部材２や配管本体部３１の内周に溝部を設けるとともに、当該溝部に対し持ち手部６４３が配置されるように構成してもよい。このような構成とすることで、ヘアキャッチャー６４の回転を規制することができ、ひいてはヘアキャッチャー６４の回転による美観の低下をより確実に防止できる。
【００７８】
（ｆ）上記実施形態において、持ち手部６４３は１つ設けられているが、持ち手部６４３を２つ以上設けることとしてもよい。
【００７９】
（ｇ）上記実施形態において、排水の流路は、垂下部１０２、排水口部材２及び配管本体部３１によって形成されているが、勿論、排水の流路の構成部はこれらに限定されるものではない。例えば、垂下部１０２が設けられていない洗面ボウル１００では、排水の流路を排水口部材２及び配管本体部３１によって形成してもよい。また、排水口部材２を設けることなく、ねじ止め等により配管３を洗面ボウル１００に固定する場合には、排水の流路を配管本体部３１によって形成してもよい。
【００８０】
（ｈ）上記実施形態において、配管３は枝分かれ管３２を備えているが、枝分かれ管３２を備えないものであってもよい。
【００８１】
（ｉ）上記実施形態では、作動軸機構５によって栓蓋ユニット６が上下動するように構成されているが、その他の機構により栓蓋ユニット６が上下動するように構成してもよい。例えば、配管本体部３１と直交する方向に延びる回動軸にて回動可能な回動部と、当該回動部の端面に突出形成されるとともに、栓蓋ユニット６を支持する支持突起とを有する栓蓋駆動機構を設け、回動部の回動に伴い支持突起が上下動することで、栓蓋ユニット６が上下動するように構成してもよい。
【００８２】
（ｊ）上記実施形態では、槽体として洗面ボウル１００を例示しているが、本発明の技術思想を適用可能な槽体は洗面ボウルに限定されるものではない。従って、例えば、浴槽やキッチンの流し台などに対して本発明の技術思想を適用することとしてもよい。
【００８３】
（ｋ）上記実施形態では、栓蓋６２（パッキン部６２ｂ）が底壁部１０１に接触することで排水口１０４を閉鎖するように構成されているが、栓蓋６２（パッキン部６２ｂ）が排水口部材２に接触することで排水口１０４を閉鎖するように構成してもよい。
【符号の説明】
【００８４】
１…排水栓装置、６…栓蓋ユニット、６１…支持軸、６２…栓蓋、６３…下方配設部、６３ｂ…持ち手対応部、６４…ヘアキャッチャー、１００…洗面ボウル（槽体）、６４１…中筒部、６４２…捕集部、６４３…持ち手部、６４２ｅ…孔部。
【図１】
2020200669.tif 000003
【図２】
2020200669.tif 000004
【図３】
2020200669.tif 000005